(57)【要約】【課題】使用済みのティッシュペーパー収納箱をコンパクトな形態で再利用できるティッシュペーパー収納箱を提供する。【解決手段】ティッシュペーパー取出し口６を有し、略直方体形状に形成されたティッシュペーパー収納箱の本体１において、前記本体１の長手方向における略中央部に、前記本体１を横断するように切込み線Ｍが形成、又は切取り線が表示されている。また、前記本体１の長手方向における略中央部及び前記略中央部から所定間隔離間した両側の位置に、前記本体１を横断するように切込み線Ｍが形成、又は切取り線が表示されている。【選択図】図１
0003224151.tif 000002
【実用新案登録請求の範囲】
【請求項１】
ティッシュペーパー取出し口を有し、略直方体形状に形成されたティッシュペーパー収納箱の本体において、
前記本体の長手方向における略中央部に、前記本体を横断するように切込み線が形成、又は切取り線が表示されていることを特徴とするティッシュペーパー収納箱。
【請求項２】
ティッシュペーパー取出し口を有し、略直方体形状に形成されたティッシュペーパー収納箱の本体において、
前記本体の長手方向における略中央部から所定間隔離間した位置に、前記本体を横断するように切込み線が形成、又は切取り線が表示されていることを特徴とするティッシュペーパー収納箱。
【請求項３】
ティッシュペーパー取出し口を有し、略直方体形状に形成されたティッシュペーパー収納箱の本体において、
前記本体の長手方向における略中央部及び前記略中央部から所定間隔離間した両側の位置に、前記本体を横断するように切込み線が形成、又は切取り線が表示されていることを特徴とするティッシュペーパー収納箱。
【請求項４】
前記略中央部から所定間隔離間した両側の位置に形成される切込み線、又は表示される切取り線は、少なくとも片側において複数であることを特徴とする請求項３に記載のティッシュペーパー収納箱。
【請求項５】
前記ティッシュペーパー収納箱の本体における端面において、前記端面の三辺に沿って切込み線が形成、又は切取り線が表示されていることを特徴とする請求項３又は請求項４に記載のティッシュペーパー収納箱。
【考案の詳細な説明】
【技術分野】
【０００１】
本考案は、再利用できるティッシュペーパー収納箱に関する。
【背景技術】
【０００２】
従来、ティッシュペーパーを収納するティッシュペーパー収納箱を有効に利用するため、ティッシュペーパー収納箱にごみ入れを設けるものが提案されている（特許文献１及び特許文献２参照）。
【０００３】
また、使用済みのティッシュペーパー収納箱を再利用するため、使用済みのティッシュペーパー収納箱を加工してごみ箱として使用できるようにしたものが知られている（特許文献３から特許文献９参照）。
【先行技術文献】
【特許文献】
【０００４】
【特許文献１】特開平８−３２４６５９号公報
【特許文献２】特開２００５−４７６１５号公報
【特許文献３】特開２００２−３０２１７１号公報
【特許文献４】実開昭６１−１２５９７０号公報
【特許文献５】実開昭６２−１０３５０２号公報
【特許文献６】実開昭６３−１３７７８５号公報
【特許文献７】実開平５−３５７６３号公報
【特許文献８】実開平５−３５７６６号公報
【特許文献９】実開平６−３５１７８号公報
【考案の概要】
【考案が解決しようとする課題】
【０００５】
しかしながら、上記従来のようにティッシュペーパー収納箱を利用する場合は、その収納箱はコンパクトな形態ではない。そのため、例えば、机上の狭いスペースに置いて使用するとき、スペースがティッシュペーパー収納箱で占有され邪魔になってしまうという不都合が生じる。
【０００６】
本考案は、上記課題に鑑みなされたもので、使用済みのティッシュペーパー収納箱をコンパクトな形態で再利用できるティッシュペーパー収納箱を提供することを目的とする。
【課題を解決するための手段】
【０００７】
請求項１に記載のティッシュペーパー収納箱は、ティッシュペーパー取出し口を有し、略直方体形状に形成されたティッシュペーパー収納箱の本体において、前記本体の長手方向における略中央部に、前記本体を横断するように切込み線が形成、又は切取り線が表示されていることを特徴とする。
【０００８】
切込み線は、いわゆるミシン目であり、切込みが点線状や鎖線状のものが含まれる。本体の切断を容易にする機能を有していればよく、線状の形態が格別限定されるものではない。
かかる考案によれば、使用済みのティッシュペーパー収納箱をコンパクトな形態で再利用できる。
【０００９】
請求項２に記載のティッシュペーパー収納箱は、ティッシュペーパー取出し口を有し、略直方体形状に形成されたティッシュペーパー収納箱の本体において、前記本体の長手方向における略中央部から所定間隔離間した位置に、前記本体を横断するように切込み線が形成、又は切取り線が表示されていることを特徴とする。
【００１０】
請求項３に記載のティッシュペーパー収納箱は、ティッシュペーパー取出し口を有し、略直方体形状に形成されたティッシュペーパー収納箱の本体において、前記本体の長手方向における略中央部及び前記略中央部から所定間隔離間した両側の位置に、前記本体を横断するように切込み線が形成、又は切取り線が表示されていることを特徴とする。
かかる考案によれば、コンパクトで所望の大きさのものを作製することができる。
【００１１】
請求項４に記載のティッシュペーパー収納箱は、略中央部から所定間隔離間した両側の位置に形成される切込み線、又は表示される切取り線は、少なくとも片側において複数であることを特徴とする。
【００１２】
請求項５に記載のティッシュペーパー収納箱は、ティッシュペーパー収納箱の本体における端面において、端面の三辺に沿って切込み線が形成、又は切取り線が表示されていることを特徴とする。
かかる考案によれば、コンパクトで所望の大きさのものを作製することができるとともに多様な使い方が可能となる。
【考案の効果】
【００１３】
本考案の実施形態によれば、使用済みのティッシュペーパー収納箱をコンパクトな形態で再利用できるティッシュペーパー収納箱を提供することができる。
【図面の簡単な説明】
【００１４】
【図１】本考案の第１の実施形態に係るティッシュペーパー収納箱を示す斜視図である。
【図２】同ティッシュペーパー収納箱を切離して分割した状態を示す斜視図である。
【図３】同分割したティッシュペーパー収納箱を組み合わせた状態を示す斜視図である。
【図４】同じく、分割したティッシュペーパー収納箱を組み合わせた状態を示す斜視図である。
【図５】同ティッシュペーパー収納箱の変形例を示す斜視図である。
【図６】本考案の第２の実施形態に係るティッシュペーパー収納箱を示す斜視図である。
【図７】同ティッシュペーパー収納箱を切離して分割した状態を示す斜視図である。
【図８】同分割したティッシュペーパー収納箱を組み合わせた状態を示す斜視図である。
【図９】本考案の第３の実施形態に係るティッシュペーパー収納箱を示す斜視図である。
【図１０】同ティッシュペーパー収納箱を切離して分割した状態を示す斜視図である。
【図１１】同分割したティッシュペーパー収納箱を組み合わせた状態を示す斜視図である。
【図１２】本考案の第４の実施形態に係るティッシュペーパー収納箱を示す斜視図である。
【図１３】同ティッシュペーパー収納箱の使用状態を示す斜視図である。
【図１４】一般的なティッシュペーパー収納箱を示す斜視図である。
【考案を実施するための形態】
【００１５】
まず、一般的なティッシュペーパー収納箱について図１４の斜視図を参照して説明する。ティッシュペーパー収納箱１０は、略直方体形状であり厚紙で作られており、上面にティッシュペーパー取出し口１１が形成されている。ティッシュペーパー収納箱１０内には、ティッシュペーパー１２が収納されていて、ティッシュペーパー取出し口１１からティッシュペーパー１２を一枚ずつ取り出して使用する。
ティッシュペーパー１２がなくなった後、使用済みのティッシュペーパー収納箱１０の空箱は、通常、廃棄される。
【００１６】
次に、本考案の第１の実施形態に係るティッシュペーパー収納箱について図１乃至図４を参照して説明する。図１は、ティッシュペーパー収納箱を示す斜視図であり、図２は、ティッシュペーパー収納箱を切離して分割した状態を示す斜視図であり、図３は、分割したティッシュペーパー収納箱を組み合わせた状態を示す斜視図であり、図４は、同じく、分割したティッシュペーパー収納箱を組み合わせた状態を示す斜視図である。なお、各図において、同一部分には同一符号を付し、重複する説明は省略する。
本実施形態のティッシュペーパー収納箱は、使用済みのティッシュペーパー収納箱をごみ箱として再利用するものである。
【００１７】
図１に示すように、ティッシュペーパー収納箱として使用済みの空箱状態のものが示されている。ティッシュペーパー収納箱は、その本体１が略直方体形状に厚紙によって形成されていて、上面２、底面３、長手方向に沿う一対の側面４及び短手方向に沿う一対の端面５の六面を有して構成されている。そして、長さ寸法が２３ｃｍ、幅寸法が１２ｃｍ、高さ寸法が６ｃｍ程度の寸法である。
【００１８】
また、上面２には、長手方向に沿ってティッシュペーパー取出し口６が形成されている。ティッシュペーパー取出し口６は、細長状であって長さ寸法が１８ｃｍ程度の開口であり、この開口には透明のフィルム７が貼着されており、さらに、この透明のフィルム７には長手方向に切り込み部７ａが形成されている。
【００１９】
このようなティッシュペーパー収納箱の本体１には、長手方向における略中央部に、本体１を横断するように切込み線としてミシン目Ｍが形成されている。具体的には、ミシン目Ｍは、長手方向と直交する方向に本体１の周囲に形成されており、つまり、上面２、長手方向に沿う一対の側面４及び底面３に亘って連続して直線状に形成されている。ミシン目Ｍは、本体１の切断を容易にする機能を有しているものである。なお、ミシン目Ｍは透明のフィルム７に亘って形成するようにしてもよい。また、切込み線は、いわゆるミシン目であり、切込みが点線状や鎖線状のものが含まれる。本体１の切断を容易にする機能を有していればよく、線状の形態が格別限定されるものではない。
次に、図２乃至図４を参照して使用済みのティッシュペーパー収納箱をごみ箱として再利用する場合について説明する。
【００２０】
図２に示すように本体１をミシン目Ｍに沿って切断し切離して分割する。分割された本体１ａ、１ｂは、略同じ大きさであり、対向するように開口部８ａ、８ｂが形成されるようになる。また、本実施形態では、透明のフィルム７は、ハサミ等を用いて適宜切断し、その後、取り外して除去する。
【００２１】
この状態で、図３に示すように分割された本体１ａ及び本体１ｂを組み合わせる。詳しくは、図２を併せて参照して示すように、一方の分割された本体１ａの開口部８ａに対し、他方の分割された本体１ｂの開口部８ｂを縮小するようにして開口部８ｂ側から、本体１ａの内側へ挿嵌して組み合わせる。この場合、本体１ａと本体１ｂとは、同じ大きさであり同じ形状である。したがって、本体１ｂの開口部８ｂを縮小するようにして本体１ａの内側へ挿嵌することにより、縮小された本体１ｂの復元力が本体１ａの内側に作用するため、相互に保持力が発生し、本体１ａと本体１ｂとの組み合わせ状態が確実に保持されるようになる。
【００２２】
これにより、一方の分割された本体１ａと他方の分割された本体１ｂとの周面、すなわち、上面２、底面３、長手方向に沿う一対の側面４が重なり合いコンパクトなごみ箱が作製される。
【００２３】
また、図４に示すように、一方の分割された本体１ａと他方の分割された本体１ｂとは、相互にスライド移動させることにより、長さ寸法が調整可能である。図３に示す状態は、ごみ箱を最小寸法とした状態であり、図４に示す状態は、ごみ箱を最小寸法から、例えば、５ｃｍ程度スライド移動させて長さ寸法を調整して、所定の大きさに設定したものである。
【００２４】
このように一方の分割された本体１ａと他方の分割された本体１ｂとをスライド移動させることにより、大きさを調整して所望のコンパクトな大きさのごみ箱を得ることができる。
【００２５】
なお、図５に示すように長手方向における略中央部に、本体１を横断するように形成するミシン目Ｍは、一対形成するようにしてもよい。この場合、本体１を切断して分割するに際し、ティッシュペーパー取出し口６に面したミシン目Ｍ、Ｍ間を切断片Ｃとして、指で摘んでミシン目Ｍ、Ｍに沿って切断することができ、本体１の分割を容易に行うことができる。
【００２６】
以上のようなティッシュペーパー収納箱によれば、ティッシュペーパー収納箱を再利用して、ティッシュペーパー取出し口６をごみの投入口として用いてコンパクトなごみ箱を作製することができる。また、ごみ箱内のごみが一杯になった場合には、溜まったごみとともに、作製したごみ箱はそのまま廃棄することができる。
【００２７】
次に、本考案の第２の実施形態に係るティッシュペーパー収納箱について図６乃至図８を参照して説明する。図６は、ティッシュペーパー収納箱を示す斜視図であり、図７は、ティッシュペーパー収納箱を切離して分割した状態を示す斜視図であり、図８は、分割したティッシュペーパー収納箱を組み合わせた状態を示す斜視図である。なお、第１の実施形態と同一又は相当部分には同一符号を付し、重複する説明は省略する。
【００２８】
本実施形態では、図６に示すように本体１の長手方向における略中央部から所定間隔離間した位置に、本体１を横断するようにミシン目Ｍを形成したものであり、つまり、ミシン目Ｍを、長手方向における略中央部から一方側へずらして形成したものである。具体的には、略中央部から一方側へ５ｃｍ程度ずらして形成されている。
【００２９】
図７に示すように本体１をミシン目Ｍに沿って切断し切離して分割する。分割された本体１ａ、１ｂは、本体１ａの長さ寸法が小さくなった分、本体１ｂの長さ寸法が大きくなっている。
【００３０】
この状態で、図８に示すように分割された本体１ａ及び本体１ｂを組み合わせると、一方の分割された本体１ａの全周面と他方の分割された本体１ｂの周面の一部とが重なり合い、前述の第１の実施形態のごみ箱より容積が増大できるコンパクトなごみ箱が作製される。
なお、前述と同様に、本体１を横断するように形成するミシン目Ｍは、一対形成するようにしてもよい。これにより、本体１の分割を容易に行うことができる。
【００３１】
続いて、本考案の第３の実施形態に係るティッシュペーパー収納箱について図９乃至図１１を参照して説明する。図９は、ティッシュペーパー収納箱を示す斜視図であり、図１０は、ティッシュペーパー収納箱を切離して分割した状態を示す斜視図であり、図１１は、分割したティッシュペーパー収納箱を組み合わせた状態を示す斜視図である。なお、第１の実施形態と同一又は相当部分には同一符号を付し、重複する説明は省略する。
【００３２】
本実施形態では、図９に示すように本体１の長手方向における略中央部及び略中央部から所定間隔離間した両側の位置に、本体１を横断するようにミシン目Ｍ０〜Ｍ４を形成したものである。また、ミシン目Ｍ１〜Ｍ４は、少なくとも片側において複数、具体的には２本（Ｍ１及びＭ２の２本、Ｍ３及びＭ４の２本）形成されている。
本体１の長手方向における略中央部にはミシン目Ｍ０が形成されていて、略中央部のミシン目Ｍ０の両側にはミシン目Ｍ１〜Ｍ４が形成されているものである。
【００３３】
具体的には、図示上、略中央部のミシン目Ｍ０の左側には所定の等しい間隔をもって離間して２本のミシン目Ｍ１、Ｍ２が形成され、略中央部のミシン目Ｍ０の右側には所定の等しい間隔をもって離間して２本のミシン目Ｍ３、Ｍ４が形成されている。なお、この略中央部のミシン目Ｍ０の両側に形成されるミシン目Ｍ１〜Ｍ４は、片側において複数本形成するのが好ましいが、１本形成するようにしてもよく、本数が格別限定されるものではない。
次に、図１０及び図１１を参照して使用済みのティッシュペーパー収納箱をごみ箱として再利用する場合について説明する。
【００３４】
図１０に示すように本体１をミシン目に沿って切断し切離して分割する。この場合は、ミシン目Ｍ２及びミシン目Ｍ３に沿って切断する例を示している。したがって、ミシン目Ｍ２及びミシン目Ｍ３に沿って切断された中央部の切断片Ｃは不要になり廃棄される（図９参照）。分割された本体１ａ、１ｂは、略同じ大きさであり、対向するように開口部８ａ、８ｂが形成されるようになる。
【００３５】
この状態で、図１１に示すように分割された本体１ａ及び本体１ｂを組み合わせと、一方の分割された本体１ａと他方の分割された本体１ｂとの周面が重なり合いコンパクトなごみ箱が作製される。
【００３６】
このように本実施形態では、切断するミシン目Ｍ０〜Ｍ４を適宜選択して本体１を分割して組み合わせることにより、コンパクトで所望の大きさのごみ箱を作製することができる。例えば、本体１を当初ミシン目Ｍ０に沿って切断して分割し、組み合わせてごみ箱を作製して使用し、その後、ミシン目Ｍ１及びミシン目Ｍ４に沿って切断して分割して組み合わせることにより、最小のごみ箱を作製して使用することが可能となる。
【００３７】
次に、本考案の第４の実施形態に係るティッシュペーパー収納箱について図１２及び図１３を参照して説明する。図１２は、ティッシュペーパー収納箱を示す斜視図であり、図１３は、使用状態を示す斜視図である。なお、第３の実施形態と同一又は相当部分には同一符号を付し、重複する説明は省略する。
【００３８】
本実施形態では、第３の実施形態に係るティッシュペーパー収納箱において、このティッシュペーパー収納箱に加えて、本体１の端面５にミシン目Ｍ５を形成したものである。
【００３９】
図１２に示すようにミシン目Ｍ５は、端面５の略外形の三辺に沿って形成されている。なお、端面５における上面側にはミシン目Ｍ５によって、切取り操作片５ａが形成されている。この切取り操作片５ａは、内方に押し込むことによって、ミシン目Ｍ５に沿って切断し易くするためのものである。
【００４０】
図１３に示すように、ミシン目Ｍ５に沿って切断することにより、端面５は一辺が連設された状態で三辺に亘って切離され、蓋部５ｂが形成されるようになる。したがって、蓋部５ｂを開いて本体１内にごみを捨てることができる。この場合、本体１は一方の端面５側を設置面とすることができるので、縦型となり設置スペースを広く必要とすることなく設置することが可能となる。
したがって、コンパクトで所望の大きさのものを作製することができるとともに多様な使い方が可能となる。
【００４１】
以上のように上記各本実施形態によれば、使用済みのティッシュペーパー収納箱をコンパクトな形態で再利用できるティッシュペーパー収納箱を提供することができる。
【００４２】
なお、本実施形態では、ティッシュペーパー収納箱の本体に切込み線としてミシン目を形成する場合について説明したが、これに替えて切取り線を表示するようにしてもよい。切取り線を表示する場合は、この切取り線の表示を案内として、ハサミ等の切断具を用いて切断する。
【００４３】
また、ティッシュペーパー取出し口に貼着された透明のフィルムは、ごみ箱を作製するに際し、取り外して除去するようにしてもよいし、そのまま残した状態で本体に形成するミシン目とともに連続してミシン目を形成して切断できるようにしてもよい。さらに、そのまま残した状態で切断具を用いて切断するようにしてもよい。
【００４４】
さらにまた、ティッシュペーパー収納箱の再利用はごみ箱が好適であるが、その用途が格別限定されるものではない。例えば、ティッシュペーパー収納箱に収納されたティッシュペーパーを適宜の大きさにカットした束とし、このカットした束を収納するようにしてもよい。使用する１枚のティッシュペーパーの大きさを小さくして節約して使用することが可能となる。
【００４５】
本考案は、上記各実施形態の構成に限定されることなく、考案の要旨を逸脱しない範囲で種々の変形が可能である。また、上記実施形態は、一例として提示したものであり、考案の範囲を限定することは意図していない。これら新規な実施形態は、その他の様々な形態で実施されることが可能であり、種々の省略、置き換え、変更を行うことができる。これら実施形態やその変形は、考案の範囲や要旨に含まれるとともに、実用新案登録請求の範囲に記載された考案とその均等の範囲に含まれる。
【符号の説明】
【００４６】
１・・・・ティッシュペーパー収納箱の本体
２・・・・上面
３・・・・底面
４・・・・側面
５・・・・端面
５ａ・・・切り取り操作片
５ｂ・・・蓋部
６・・・・ティッシュペーパー取出し口
７・・・・フィルム
Ｍ・・・・切り込み線（ミシン目）
【図１】
0003224151.tif 000003
【図２】
0003224151.tif 000004
【図３】
0003224151.tif 000005
【図４】
0003224151.tif 000006
【図５】
0003224151.tif 000007
【図６】
0003224151.tif 000008
【図７】
0003224151.tif 000009
【図８】
0003224151.tif 000010
【図９】
0003224151.tif 000011
【図１０】
0003224151.tif 000012
【図１１】
0003224151.tif 000013
【図１２】
0003224151.tif 000014
【図１３】
0003224151.tif 000015
【図１４】
0003224151.tif 000016